(57)【要約】【課題】衣類やハンガーが触れてもハンガーパイプから落下しないようにしたファン式防虫装置とする。【解決手段】薬剤保持体２、送風機３、電池４、放出口５を有する装置本体１に可動フック３０を上下揺動自在に取付け、この可動フック３０の先端部と装置本体１の上面１ｂでパイプ挿通口８を形成する。前記可動フック３０をコイルばね３３で下方に揺動付勢してパイプ挿通口８の上下寸法をハンガーパイプ６の径よりも小さくして取付部７がハンガーパイプ６から外れないようにする。【選択図】　　　図４
2004008139.tif 000002
【特許請求の範囲】
【請求項１】
害虫防除成分を有する薬剤保持体２と送風機３と電池４を備え、この送風機３から発生する気流を薬剤保持体２に接触又は通過させることにより害虫防除成分を放出口５から気中に放出する装置本体１と、
前記装置本体１に設けられハンガーパイプ６に取付けるための取付部７を有し、
該取付部７は、ハンガーパイプ６から外れないように吊り下げ支持される吊り下げ形態と、ハンガーパイプ６から取外し、取付け可能な取付・取外し形態に変位可能で、かつ吊り下げ形態に保持できることを特徴とするファン式防虫装置。
【請求項２】
取付部７は、上下寸法がハンガーパイプ６の径よりも小さな吊り下げ時寸法と、大きい取付・取外し時寸法に変位可能で、かつ吊り下げ時寸法に保持できるパイプ挿通口８を有し、吊り下げ時寸法の場合が吊り下げ形態で、取付・取外し時寸法の場合が取付・取外し形態である請求項１記載のファン式防虫装置。
【請求項３】
装置本体１に上下揺動自在に設けた可動フック３０の先端部と装置本体１でパイプ挿通口８を形成し、
前記可動フック３０を付勢手段で下方に揺動付勢保持してパイプ挿通口８の上下寸法を吊り下げ時寸法に保持し、かつ可動フック３０の先端部がハンガーパイプ６に押しつけられることで可動フック３０が付勢手段に抗して上方に揺動するようにした請求項２記載のファン式防虫装置。
【請求項４】
装置本体１に可動片４０を、可動フック３０の先端部と対向して上下移動自在に設け、この可動片４０と可動フック３０の先端部でパイプ挿通口８を形成し、
前記可動片４０を付勢手段で上方位置に保持してパイプ挿通口８の上下寸法を吊り下げ時寸法とし、かつ可動片４０がハンガーパイプ６に押しつけられることで可動片４０が付勢手段に抗して下方に移動するようにした請求項３記載のファン式防虫装置。
【請求項５】
装置本体１に固定フック５０と可動片４０を設け、この固定フック５０の先端部と可動片４０でパイプ挿通口８を形成し、
前記可動片４０を上下移動自在で、かつ付勢手段によって上方位置に保持してパイプ挿通口８の上下寸法を吊り下げ時寸法とし、かつ可動片４０がハンガーパイプ６に押しつけられることで可動片４０が付勢手段に抗して下方に移動するようにした請求項２記載のファン式防虫装置。
【発明の詳細な説明】
【０００１】
【発明の属する技術分野】
本発明は、洋服ダンスやクローゼット等の衣類収納空間の防虫に用いるファン式防虫装置、詳しくは、害虫防除成分を有する薬剤保持体と送風機を備え、この送風機から発生する気流を薬剤保持体に接触又は通過させることにより害虫防除成分を放出口から気中に放出するファン式防虫装置に関する。
【０００２】
【従来の技術】
洋服ダンスやクローゼット等の衣類収納空間の防虫に用いるファン式防虫装置として、特開平１１−３０８９５５号公報に開示されたファン式防虫装置が提案されている。
具体的には、害虫防除成分を有する薬剤保持体と送風機と電池を備え、その薬剤保持体に送風機により発生する気流を接触させることで害虫防除成分を放出口から気中に放出するファン式防虫装置である。
【０００３】
【発明が解決しようとする課題】
前述したファン式防虫装置は、ハンガーパイプに吊り下げて衣類収納空間に取付けることが考えられるが、送風機と電池を備えているので重く、衣類を収納したり、取り出す際に衣類やハンガーが触れてハンガーパイプから外れて落下すると、大きな衝撃力が生じて破損する恐れがある。
【０００４】
本発明は、前述の課題に鑑みなされたものであり、その目的は、ハンガーパイプに取付けできると共に、衣類の収納、取り出し時に衣類やハンガーが触れても落下することがないようにしたファン式防虫装置を提供することである。
【０００５】
【課題を解決するための手段】
第１の発明は、害虫防除成分を有する薬剤保持体２と送風機３と電池４を備え、この送風機３から発生する気流を薬剤保持体２に接触又は通過させることにより害虫防除成分を放出口５から気中に放出する装置本体１と、
前記装置本体１に設けられハンガーパイプ６に取付けるための取付部７を有し、
該取付部７は、ハンガーパイプ６から外れないように吊り下げ支持される吊り下げ形態と、ハンガーパイプ６から取外し、取付け可能な取付・取外し形態に変位可能で、かつ吊り下げ形態に保持できることを特徴とするファン式防虫装置である。
【０００６】
第２の発明は、第１の発明において、取付部７は、上下寸法がハンガーパイプ６の径よりも小さな吊り下げ時寸法と、大きい取付・取外し時寸法に変位可能で、かつ吊り下げ時寸法に保持できるパイプ挿通口８を有し、吊り下げ時寸法の場合が吊り下げ形態で、取付・取外し時寸法の場合が取付・取外し形態であるファン式防虫装置である。
【０００７】
第３の発明は、第２の発明において、装置本体１に上下揺動自在に設けた可動フック３０の先端部と装置本体１でパイプ挿通口８を形成し、
前記可動フック３０を付勢手段で下方に揺動付勢保持してパイプ挿通口８の上下寸法を吊り下げ時寸法に保持し、かつ可動フック３０の先端部がハンガーパイプ６に押しつけられることで可動フック３０が付勢手段に抗して上方に揺動するようにしたファン式防虫装置である。
【０００８】
第４の発明は、第３の発明において、装置本体１に可動片４０を、可動フック３０の先端部と対向して上下移動自在に設け、この可動片４０と可動フック３０の先端部でパイプ挿通口８を形成し、
前記可動片４０を付勢手段で上方位置に保持してパイプ挿通口８の上下寸法を吊り下げ時寸法とし、かつ可動片４０がハンガーパイプ６に押しつけられることで可動片４０が付勢手段に抗して下方に移動するようにしたファン式防虫装置である。
【０００９】
第５の発明は、第２の発明において、装置本体１に固定フック５０と可動片４０を設け、この固定フック５０の先端部と可動片４０でパイプ挿通口８を形成し、
前記可動片４０を上下移動自在で、かつ付勢手段によって上方位置に保持してパイプ挿通口８の上下寸法を吊り下げ時寸法とし、かつ可動片４０がハンガーパイプ６に押しつけられることで可動片４０が付勢手段に抗して下方に移動するようにしたファン式防虫装置である。
【００１０】
【作　用】
第１の発明によれば、取付部７を取付・取外し形態とすることでハンガーパイプ６に取付け、取り外しできる。
取付部７をハンガーパイプ６に取付けた状態で、取付部７を吊り下げ形態として保持することで、衣類を収納したり、取り出す際に衣類やハンガーが干渉しても取付部７がハンガーパイプ６から外れることがない。
よって、衣類収納空間内のハンガーパイプ６に取付けできると共に、衣類の収納・取り出し時に衣類やハンガーが触れても落下することがない。
【００１１】
第２の発明によれば、パイプ挿通口８を通してハンガーパイプ６に取付けたり、取り外したりできる。
【００１２】
第３の発明によれば、可動フック３０の先端部をハンガーパイプ６に押しつけることで可動フック３０が上方に揺動するので、取付部７をハンガーパイプ６に取付け、取外しする操作が容易である。
【００１３】
第４の発明によれば、可動フック３０が上方に揺動すると共に、可動片４０が下方に移動することでパイプ挿通口８の上下寸法を取付・取外し時寸法とするので、その可動フック３０、可動片４０の揺動角、移動距離を小さくできる。
また、可動フック３０の先端部、可動片４０をハンガーパイプ６に押しつけることで可動フック３０が上方に揺動し、可動片４０が下方に移動するから、取付部７をハンガーパイプ６に取付け、取外しする操作が容易である。
【００１４】
第５の発明によれば、固定フック５０によってハンガーパイプ６にしっかりと吊り下げできる。
また、可動片４０をハンガーパイプ６に押しつけることで可動片４０が下方に移動するから、取付部７をハンガーパイプ６に取付け、取外しする操作が容易である。
【００１５】
【発明の実施の形態】
本発明の第１の実施の形態を図１、図２、図３、図４に基づいて説明する。
装置本体１は、害虫防除成分を有する薬剤保持体２と送風機３と電池４を備え、この送風機３から発生する気流を薬剤保持体２に接触又は通過させることで薬剤保持体３が有する害虫防除成分を放出口５から気中に放出する。
前記装置本体１は衣類収納空間内のハンガーパイプ６に吊り下げるための取付部７を具備する。
前記取付部７は、ハンガーパイプ６から外れないように吊り下げ支持される吊り下げ形態と、ハンガーパイプ６から取外し、取付け可能な取付・取外し形態に変位可能で、かつ吊り下げ形態に保持できるものである。
例えば、ハンガーパイプ６が挿通するパイプ挿通口８を有し、このパイプ挿通口８の上下寸法Ｈがハンガーパイプ６の径Ｄよりも小さい吊り下げ時寸法と、大きい取付・取外し時寸法に変位可能で、かつ吊り下げ時寸法に保持されている。前記パイプ挿通口８の上下寸法Ｈが吊り下げ時寸法である場合が前述の吊り下げ形態で、取付・取外し時寸法である場合が前述の取付・取外し形態である。
【００１６】
このようであるから、取付部７を取付・取外し形態、例えばパイプ挿通口８の上下寸法Ｈを取付・取外し時寸法とすることで、ハンガーパイプ６に取付けたり、取外したりできる。
また、取付部７をハンガーパイプ６に取付けた状態で吊り下げ形態、例えばパイプ挿通口８の上下寸法Ｈを吊り下げ時寸法に保持すれば、取付部７がハンガーパイプ６から外れることがない。
よって、衣類を収納したり、取り出したりする際に、その衣類や衣類を掛けたハンガーがファン式防虫装置に触れてもハンガーパイプ６から脱落することがない。
【００１７】
前記放出口５はハンガーパイプ６と直交する方向に開口していることが好ましい。最も好ましくは、装置本体１のハンガーパイプ６と直交する面１ａに形成してある。
これによって、取付部７をハンガーパイプ６に取付けてファン式防虫装置を衣類収納空間、例えばクローゼットに取付けた状態で、送風機３を駆動することで害虫防除成分が放出口５からハンガーパイプ６と直交する方向に放出される。
よって、衣類を吊り下げたハンガーをハンガーパイプ６に取付けて衣類を収納した状態において、放出口５から放出される害虫防除成分は衣類とほぼ平行方向に放出されて衣類に吹きつけられることがないので、ハンガーを手で持ってハンガーパイプ６に吊り下げて衣類を収納する際に放出口５に触れることを気にせずに自由に収納できる。
つまり、前述のように衣類を収納する際に放出口５に触れたとしても収納した状態では放出される害虫防除成分が衣類に向けて放出しないから、自由に取付けできる。
また、ハンガーパイプ６にハンガーを吊り下げて衣類を収納してある状態で、ファン式防虫装置を取付ける際にも前述と同様に衣類を気にせず自由に取付けできる。
【００１８】
前記取付部７をハンガーパイプ６に取付けた状態で、放出口５の下端部５ａがハンガーよりも上方に位置することが好ましい。例えばハンガーパイプ６の上面６ａから放出口５の下端部５ａまでの距離Ｌが１５ｃｍ以内であることが好ましい。
このようにすることで、、ハンガーに吊り下げた衣類で放出口５が塞がれることがなく、害虫防除成分を衣類収納空間の全体に行き渡らせることができる。
【００１９】
つまり、衣類は板等と違い柔軟である為、本発明のファン式防虫装置が衣類との間におけるハンガーよりも下方の部分の間に位置すると、衣類同志に押されたり、また、衣類自体が静電気を持ち隣接した衣類同志がくっつくことがある。
これらによって、装置本体１が衣類で完全に包み込まれて放出口５が衣類で塞がれてしまうことがある。
これに対して、前述のように放出口５の位置を決めることで、その放出口５はハンガーの衣類を掛ける部分と対向し、前述したように放出口５が衣類で塞がれることがない。
【００２０】
次に、各部の具体形状の一例を説明するが、この形状に限ることはない。
装置本体１は本体部１０とカバー部１１を着脱自在に連結したもので、その本体部１０は送風機収納室１０ａと電池収納室１０ｂを有する。この実施の形態では本体部１０は開口部１２を有する箱形状で、前記送風機収納室１０ａと電池収納室１０ｂは連続しているが、別々としても良い。
前記本体部１０は前述の放出口５を有する。
前記カバー部１１は開口部１２と対向した通気孔１３を有し、このカバー部１１と本体部１０との間に薬剤保持体２が設けてある。
【００２１】
前記薬剤保持体２は通気性を有する容器１４、例えば対向面に通気孔１４ａを有する容器１４内に害虫防除成分を含有する担持体（粉剤、粒剤など）１５を充填したもので、その容器１４の外向フランジ１４ｂをカバー部１１における通気孔１３の開口縁内側面に接して取付けられる。
前記送風機３は電動モータ３ａとファン３ｂとファンケース３ｃを備え、電動モータ３ａでファン３ｂを回転するもので、この電動モータ３ａは電池収納室１０ｂに設けた電池４を電源として駆動される。
前記ファンケース３ｃは吸込口１６と吐出口１７を有し、その吸込口１６が薬剤保持体２と対向し、吐出口１７が前記放出口５と連続する。
【００２２】
前記装置本体１には制御部、例えばＩＣ制御基板２０とスイッチ２１とパイロットランプ２２が設けてある。
前記スイッチ２１は装置本体１の穴２３からＯＮ、ＯＦＦ操作できるようにしてあり、パイロットランプ２２は穴２４から目視できる。前記スイッチ２１をＯＮ操作すると電動モータ３ａが回転すると共にパイロットランプ２２が点灯して使用状態であることを確認できる。
【００２３】
前記取付部７は可動フック３０を備え、この可動フック３０の基端部が装置本体１のフック挿入穴３１から内部に突出し、支点３２（例えば、ピン）を中心として上下方向に揺動する。
この可動フック３０の先端部と装置本体１の上面１ｂとで前記パイプ挿通口８を形成し、可動フック３０が上方（先端部が上面１ｂから離れる方向）に揺動するとパイプ挿通口８の上下寸法Ｈが大きくなり、可動フック３０が下方（先端部が上面１ｂに接近する方向）に揺動するとパイプ挿通口８の上下寸法Ｈが小さくなる。
【００２４】
前記可動フック３０は付勢手段、例えばコイルばね３３で下方に揺動付勢され、パイプ挿通口８の上下寸法Ｈがハンガーパイプ６の径Ｄよりも小さい吊り下げ時寸法（吊り下げ形態）に保持される。
前記可動フック３０をコイルばね３３に抗して上方に揺動するとパイプ挿通口８の上下寸法Ｈがハンガーパイプ６の径Ｄよりも大きい取付・取外し時寸法（取付・取外し形態）となる。
前記可動フック３０はストッパ手段で下方への揺動角、上方への揺動角を規制し、パイプ挿通口８の上下寸法Ｈの最小値が極端に小さくならずに、例えばハンガーパイプ６の径Ｄのほぼ半分となるようにしていると共に、ハンガーパイプ６に吊り下げた時にファン式防虫装置の重量をストッパ手段で支持し、可動フック３０が上方に揺動しすぎてハンガーパイプ６から外れないようにしてある。
【００２５】
例えば、第１ストッパ３４に可動フック３０の基端部を当接して下方への揺動角を規制し、第２ストッパ３５に可動フック３０の基端部を当接して上方への揺動角を規制している。
なお、前記装置本体１のフック挿入穴３１に可動フック３０を当接して可動フック３０の下方への揺動角、上方への揺動角を規制するようにしても良い。
また、可動フック３０の上方への揺動角をコイルばね３３で規制すると共に、このコイルバネ３３が自由状態の時に可動フック３０の下方への揺動角を規制するようにしても良い。
【００２６】
前記可動フック３０の先端部をハンガーパイプ６に押しつけるとコイルばね３３に抗して上方に揺動する。例えば可動フック３０の先端部の外側面３０ａと装置本体１の上面１ｂにおけるパイプ挿通口８を形成する部分よりも外側の外側面１ｃの形状、つまり、取付部７のパイプ挿通口８を形成する部分における外側面の形状は、ハンバーパイプ６に押しつけられることで可動フック３０が上方に揺動するようにしてある。
例えば、前述の外側面３０ａと外側面１ｃが外側に向うほぼＶ字形状で、ハンガーパイプ６に押しつけることで可動フック３０に上方への揺動力が作用するようにしてある。
このようにすることで、取付部７のパイプ挿通口８をハンガーパイプ６に押しつけることで取付けでき、その操作が容易である。
【００２７】
前記可動フック３０の先端部の内側面３０ｂと装置本体１の上面１ｂにおけるパイプ挿通口８を形成する部分よりも内側の内側面１ｄの形状、つまり、取付部７のパイプ挿通口８を形成する部分における内側面の形状は、ハンガーパイプ６に押しつけられることで可動フック３０が上方に揺動するようにしてある。
例えば、前述の内側面３０ｂと内側面１ｄが内側に向うほぼＶ字形状で、ハンガーパイプ６に押しつけることで可動フック３０に上方への揺動力が作用するようにしてある。つまり、上面１ｂにおけるハンガーパイプ６と対向した部分は円弧形状に凹んでいる。
このようにすることで、ハンガーパイプ６に取付けてある状態から装置本体１をハンガーパイプ６から離れる方向に引張ることで取り外しでき、その操作が容易である。
【００２８】
取付部７の第２の実施の形態を説明する。
図５に示すように、装置本体１の上面１ｂにおけるパイプ挿通口８を形成する部分に可動片４０を設け、この可動片４０と可動フック３０の先端部でパイプ挿通口８を形成する。
前記可動片４０は装置本体１に上下動自在に取付けられ、付勢手段、例えばばね４１で上方位置に付勢保持されてパイプ挿通口８の上下寸法を吊り下げ時寸法に保持していると共に、ばね４１に抗して押し込むことで下方位置に移動する。前記可動片４０の上部はハンガーパイプ６と直交する方向の山形状で、斜めの外側面４０ａ、斜めの内側面４０ｂを有し、ハンガーパイプ６に押しつけることで下向きの力が作用するようにしてある。
【００２９】
このようであるから、可動フック３０の先端部における外側面３０ａと可動片４０の外側面４０ａ、つまり、取付部７のパイプ挿通口８を形成する部分における外側面をハンガーパイプ６に押しつけることで、可動フック３０が上方に揺動すると共に、可動片４０が下方に移動するから、取付部７をハンガーパイプ６に取付けできる。
また、取付部７をハンガーパイプ６に取付けた状態で可動フック７の先端部の内側面３０ｂと可動片４０の内側面４０ｂ（取付部７のパイプ挿通口８を形成する部分における内側面）をハンガーパイプ６に押しつけることで、可動フック３０が上方に揺動すると共に、可動片４０が下方に移動するから、ハンガーパイプ６から外すことができる。
【００３０】
取付部７の第３の実施の形態を説明する。
図６に示すように、装置本体１に固定フック５０を取付ける。例えば装置本体１と一体的に設ける。
装置本体１の上部に前述した可動片４０を取付ける。
前記固定フック５０の先端部と可動片４０でパイプ挿通口８を形成すると共に、その上下寸法Ｈを吊り下げ時寸法とする。
【００３１】
このようにすれば、固定フック５０でハンガーパイプ６にしっかりと取付けて吊り下げできる。
また、前述の第２の実施の形態と同様に可動片４０の外側面４０ａをハンガーパイプ６に押しつけることで可動片４０が下方に移動するから、ハンバーパイプ６に取付けできる。
また、前述の第２の実施の形態と同様に可動片４０の内側面４０ｂをハンガーパイプ６に押しつけることで可動片４０が下方に移動するから、ハンガーパイプ６から外すことができる。
【００３２】
取付部７の第４の実施の形態を説明する。
可動フック３０を手動で上下に揺動できるようにすると共に、その可動フック３０をパイプ挿通口８の上下寸法Ｈが吊り下げ時寸法となる下方位置で手動によってロックして保持するようにする。
例えば、図７に示すように可動フック３０の基端部と装置本体１とにロック用孔３６をそれぞれ形成し、可動フック３０が図７に示すようにパイプ挿通口８の上下寸法Ｈが吊り下げ時寸法となる下方位置の時に各ロック用３６が合致するようにする。
この各ロック用３６にロックピン３７を手動で挿入することでロックし、そのロックピン３７を手動で抜き出しすることでロック解除して可動フック３０が上方に揺動できるようにする。
【００３３】
前述の各実施の形態においては、可動フック３０、固定フック５０は装置本体１よりも上方に突出すると共に、ほぼ下向き鉤形状である。
また、装置本体１が本体部１０とカバー部１１から形成してあるから、その本体部１０に可動フック３０、固定フック５０を取付けることが好ましいが、カバー部１１に取付けることも可能である。
また、装置本体１は本体部１０とカバー部１１を一体的としたものとしても良い。
【００３４】
本発明に用いる薬剤保持体２は、前記害虫防除成分を含有する担持体の成形体（ネット、シート、プレート、多孔体、繊維体、綿体、スポンジ体など）、またはそれらの収納体（通気性容器、通気性袋など）である。また、薬剤保持体２は、その形態、材質を任意に設定することができる。簡単な構造で、通気性の大きいものが好ましい。
例えば、通気孔を有する容器形状、網形状、ハニカム形状、すのこ形状、格子形状、開孔形状などの構造が挙げられる。材質は、例えば、紙、合成樹脂、セラミック、繊維などの公知のものが使用できる。
【００３５】
本発明に用いる害虫防除成分は、送風により揮散するものであれば特に限定されず、例えば、エムペントリン、バイオアレスリン、フラメトリン、プラレトリン、テフラメトリン、トランスフルスリン、フェンフルスリンなどのピレスロイド系殺虫剤、フェニトロチオン、ジクロルボスなどの有機リン系殺虫剤、樟脳、ナフタリン、パラジクロルベンゼンなどの昇華性防虫剤、ペパーミント、スペアミント、ナツメグ、ラベンダーなどのハーブ、リナロール、メントール、シンナムアルデヒド、チモール、カルボンなどのテルペン、レモングラス油、ヒノキ油、イランイラン油、ヒバ油などの精油、Ｎ，Ｎ−ジメトル−ｍ−トルアミド、フタル酸ジメチル、２−エチル−１，３−ヘキサンジオールなどの忌避剤などの公知の揮散性薬剤が挙げられ、その単独、または組合わせて使用することができる。また、消臭剤、防黴剤、香料、酸化防止剤、揮散調整剤などを必要に応じて配合することもできる。
【００３６】
本発明の装置に使用できる電池としては、アルカリ単一電池、アルカリ単二電池、アルカリ単三電池、アルカリ単四電池、アルカリ単五電池、マンガン単一電池、マンガン単二電池、マンガン単三電池、マンガン単四電池、マンガン単五電池、ボタン電池、空気電池などの一次電池、ニカド電池、リチウムイオン電池等の二次電池が挙げられるが、何らこれに限定されるものではない。
【００３７】
また、衣類用防虫剤は一般的に半年から１年間使用されるため、本発明の装置もその期間作動する事が望ましく、方法としては電池を多数使用する方法が挙げられるが、前述のＩＣ制御基板２０等を用いたファンをインターバル制御することが推奨できる。
インターバル期間としてはファン駆動時間に対しファン停止時間を１０〜２００倍、好ましくは２０〜５０倍の範囲とするのが良い。ファンの駆動時間は１０秒から１０分程度が良い。ファンの消費電力は３００〜５ｍＷ程度のものが良い。
好ましい形態としては、アルカリ単三乾電池×直列２本で約１年作動する。１年作動を果たす為に、本装置はＩＣによりファンの駆動をインターバル制御しており、インターバル期間はファン駆動時間を１分とし、ファン停止時間を２９分とした。ファンの消費電力は３Ｖ時で２４ｍＷのものを使用した。
【００３８】
また、本発明の装置にクローゼット等の扉の開閉を感知し、上記インターバル制御とは別の制御系を用い装置を作動するよう設定しても良い。
クローゼット等の扉の開閉を感知する方法としてはセンサーが挙げられ、センサーとしては光を感知するもの、又は、振動を感知するもの、物体の通過を感知するもの、温度を感知するもの等があり、その内１つを使用、または複数を組み合わせて使用しても良い。また、リミットスイッチを使い扉の開閉を感知しても良い。
【００３９】
本発明の装置には使用終了を使用者に知らせるインジケータを付加させることが望ましい。インジケータの方式としては、薬剤が径時的に変色する方法や、薬剤が径時的に消失する方法、又は、器具に液晶パネルやＬＥＤ、ランプなどによる方法が挙げられる。
本発明の装置には装置を駆動するスイッチやインジケータが付加されるが、その部位は装置を棒体に取り付けた際、正面にくることが望ましい。
【００４０】
【発明の効果】
請求項１に係る発明によれば、取付部７を取付・取外し形態とすることでハンガーパイプ６を取付け、取り外しできる。
取付部７をハンガーパイプ６に取付けた状態で、取付部７を吊り下げ形態として保持することで、衣類を収納したり、取り出す際に衣類やハンガーが干渉しても取付部７がハンガーパイプ６から外れることがない。
よって、衣類収納空間内のハンガーパイプ６に取付けできると共に、衣類の収納・取り出し時に衣類やハンガーが触れても落下することがない。
【００４１】
請求項２に係る発明によれば、パイプ挿通口８を通してハンガーパイプ６に取付けたり、取り外したりできる。
【００４２】
請求項３に係る発明によれば、可動フック３０の先端部をハンガーパイプ６に押しつけることで可動フック３０が上方に揺動するので、取付部７をハンガーパイプ６に取付け、取外しする操作が容易である。
【００４３】
請求項４に係る発明によれば、可動フック３０が上方に揺動すると共に、可動片４０が下方に移動することでパイプ挿通口８の上下寸法を取付・取外し時寸法とするので、その可動フック３０、可動片４０の揺動角、移動距離を小さくできる。
また、可動フック３０の先端部、可動片４０をハンガーパイプ６に押しつけることで可動フック３０が上方に揺動し、可動片４０が下方に移動するから、取付部７をハンガーパイプ６に取付け、取外しする操作が容易である。
【００４４】
請求項５に係る発明によれば、固定フック５０によってハンガーパイプ６にしっかりと吊り下げできる。
また、可動片４０をハンガーパイプ６に押しつけることで可動片４０が下方に移動するから、取付部７をハンガーパイプ６に取付け、取外しする操作が容易である。
【図面の簡単な説明】
【図１】本発明の第１の実施の形態を示すファン式防虫装置の側面図である。
【図２】本発明の第１の実施の形態を示すファン式防虫装置の正面図である。
【図３】図１のＡ−Ａ断面図である。
【図４】取付部を示す断面図である。
【図５】取付部の第２の実施形態を示す断面図である。
【図６】取付部の第３の実施の形態を示す一部破断側面図である。
【図７】取付部の第４の実施の形態を示す側面図である。
１…装置本体、２…薬剤保持体、３…送風機、４…電池、５…放出口、６…ハンガーパイプ、７…取付部、８…パイプ挿通口、３０…可動フック、４０…可動片、５０…固定フック。
【図１】
2004008139.tif 000003
【図２】
2004008139.tif 000004
【図３】
2004008139.tif 000005
【図４】
2004008139.tif 000006
【図５】
2004008139.tif 000007
【図６】
2004008139.tif 000008
【図７】
2004008139.tif 000009